(57)【特許請求の範囲】
【請求項１】
芯案内内筒と芯案内外筒とから成る芯案内筒内に昇降自在の燃芯を備え、更に芯案内筒上端の火皿部上には燃焼筒を載置したものに於いて、前記燃芯上端には、最上昇の点火位置で火皿部より下方となるように凹部を形成し、更にこの凹部には放電点火の対極となる対極板を備えると共に、該凹部と対向する芯案内外筒には窓部を設け、この窓部から放電電極を突出させ、更に燃芯最下降の消火位置で凹部と対向する芯案内外筒には、通常燃焼時閉塞され消火時には開放されて冷却空気を凹部に供給し、前記対極板によって通常燃焼時閉塞される通気孔を備えた事を特徴とする石油燃焼器具。
【請求項２】
前記通気孔を通常燃焼時には閉塞し消火時には開放するバネ性を与えた板バネ部を対極板に設けたことを特徴とする請求項１記載の石油燃焼器具。
【発明の詳細な説明】
【０００１】
【発明の属する技術分野】
この発明は、電子点火と言われる放電点火装置を有した石油ストーブ等の石油燃焼器具に関するものである。
【０００２】
【従来の技術】
従来よりこの種のものに於いては、例えば特許番号第２９４７３１５号公報に開示されている如く、放電電極とこの放電電極の対極となる対極板とを、最上昇位置の燃芯上端に備えることで、放電点火を可能とするものであった。
【０００３】
【発明が解決しようとする課題】
ところでこの従来のものでは、放電電極と対極板とが共に、芯案内筒の火皿部上で燃焼筒内で燃芯上端に接近して備えられ、しかも対極板は火皿部に下端が固定され上方に立設した形で備えられているので、放電が燃焼筒との間で行われ点火不良を招いたり、燃芯を下げて火力を絞った状態では、放電電極及び対極板が共に強力な火炎に晒されることとなり、短期間で焼損したり放電不良を引き起こすと言う問題点を有するものであった。
【０００４】
又これを解決する為に、燃芯上端に凹部を設けて火皿部下方で点火することが考えられるが、この構成であると燃焼時火皿部からのヒートバックで凹部温度が上昇し、消火で燃芯を降下させても凹部の燃油の蒸発は継続し、凹部に長時間火が残り消火時間が長くなると言う新たな問題が発生するものであった。
【０００５】
【課題を解決するための手段】
この発明は、この点に着目し上記欠点を解決する為、特にその構成を、請求項１では、芯案内内筒と芯案内外筒とから成る芯案内筒内に昇降自在の燃芯を備え、更に芯案内筒上端の火皿部上には燃焼筒を載置したものに於いて、前記燃芯上端には、最上昇の点火位置で火皿部より下方となるように凹部を形成し、更にこの凹部には放電点火の対極となる対極板を備えると共に、該凹部と対向する芯案内外筒には窓部を設け、この窓部から放電電極を突出させ、更に燃芯最下降の消火位置で凹部と対向する芯案内外筒には、通常燃焼時閉塞され消火時には開放されて冷却空気を凹部に供給し、前記対極板によって通常燃焼時閉塞される通気孔を備えたものである。
又、請求項２では請求項１に於いて、前記通気孔を通常燃焼時には閉塞し消火時には開放するバネ性を与えた板バネ部を対極板に設けたものである。
【０００６】
【発明の実施の形態】
芯案内内筒２と芯案内外筒３から成る芯案内筒１内に昇降自在の燃芯４を備え、更にこの燃芯４上端で、点火位置の最上昇位置で火皿部５より下方となる位置まで凹部１０を形成し、この凹部１０に放電点火の対極となる対極板１２を備え、更に凹部１０と対向する芯案内外筒３には窓部１６を形成し、ここに放電を行う放電電極１９を備えたものである。
【０００７】
更に燃芯４を降下させる消火時、最下降の消火位置で凹部１０と対向する芯案内外筒３には通気孔２１が形成され、ここから冷却空気が流入して凹部１０の残火を吹き消すものであり、この通気孔２１は燃焼時には対極板１２によって閉塞されるので、燃焼への悪影響は防止されるものである。
【０００８】
従って、放電点火用の放電電極１９と対極板１２とは火皿部５より下方に位置し、常に燃焼部外であるから、点火不良を招いたり強力な火炎に晒されて短期間に焼損したり、放電不能となることがなく、長期に渡って良好な点火が得られるものである。
【０００９】
又消火時凹部１０に残る残火は、通気孔２１からの冷却空気で消火されるので、凹部１０を設けたことにより消火時間が長くなると言う不具合を確実に防止出来るものであり、更に通常燃焼時通気孔２１は、対極板１２によって閉塞されているので、通常燃焼時に通気孔２１から空気が流入して燃焼に悪影響を与える心配がなく、しかも通気孔２１閉塞用の特別な部品を使用することなく、対極板１２を利用して行えるので、部品点数が少なく安価で済むものである。
【００１０】
【実施例】
次にこの発明に係る石油燃焼器具の放電式点火装置を図面に示された一実施例で説明する。
１は芯案内内筒２と芯案内外筒３から構成された芯案内筒で、内方には昇降自在の燃芯４を備え、更に上端の火皿部５には内筒６及び中筒７及び外筒８から成る複筒式の燃焼筒９の内筒６及び中筒７が載置されている。
【００１１】
１０は燃芯４上端に形成された凹部で、燃芯４の点火位置である最上昇位置でも火皿部５より低い位置となるように形成されており、この凹部１０には芯止バンド１１に一端を固定した対極板１２の先端部が芯案内外筒３側から位置している。
【００１２】
前記対極板１２は、燃芯４外周に沿って全体にＲ状に形成され、下部には芯止バンド１１に固定する為の引掛け片１３と折り曲げ片１４とを有し、上部には燃芯４外周方向から凹部１０内に向かうように屈曲した対極部１５が形成されている。
【００１３】
１６は燃芯４の点火位置である最上昇位置で、凹部１０と対向する芯案内外筒３に形成された開口から成る窓部で、この窓部１６を介して碍子部分１７が固定金具１８で固定された放電電極１９が凹部１０に対向して位置され、対極板１２の対極部１５とは凹部１０の燃芯４上で接近している。
【００１４】
２０は芯案内外筒３の火皿部５外周に備えられたフランジ部で、燃焼筒９の外筒８下端との間には空気流通用の隙間を形成している。
【００１５】
２１は燃芯４の最下降の消火位置で凹部１０と対向する芯案内外筒３に形成された４個の通気孔で、凹部１０全体に冷却空気を流入させる為に、直径１．３ｍｍの穴を各通気孔２１を結ぶ線が四角形を形成するように配設している。
【００１６】
２２は対極板１２の中央を下端を残して逆Ｕ字状に切り欠き、下端を支点に外方側にやや折り曲げてバネ性を与えた板バネ部で、燃芯４の火力調節範囲では、バネ性を利用して芯案内外筒３内面に密着して上下動し、通気孔２１を閉塞し空気の流入を阻止すると共に、燃芯４の最下降の消火位置では通気孔２１を開放状態として、冷却空気を凹部１０に流入させて残火を吹き消すようにさせたものである。
【００１７】
２３は対極板１２内面の燃芯４側に形成された４個の係止爪で、三角状に立ち上げられ燃芯４にくい込み対極板１２を支持するものである。
【００１８】
次にこの発明一実施例の作動について説明する。
今燃芯４を上昇させ点火位置である最上昇位置まで上昇させれば、凹部１０は放電電極１９が突出している窓部１６に対極板１２と共に位置することになる。
【００１９】
そしてここで点火スイッチ（図示せず）を押圧して放電電極１９に一定時間通電するようにすれば、該放電電極１９から対極板１２の対極部１５に向かって放電が行われ、この放電で凹部１０上端の燃芯４部分に火が付き、これが燃芯４上端全周に周り、点火が行われるものである。
【００２０】
次に消火操作を行い燃芯４を降下させ、最下降の消火位置で燃芯４上端の火炎は消火され、又火皿部５からのヒートバックで残火が残る凹部１０には、対極板１２の板バネ部２２の降下で開放された通気孔２１からの冷却空気の流入で、凹部１０の残火は瞬時に吹き消され、消火時間の短縮が計られるものである。
【００２１】
しかも燃焼中通気孔２１は、対極板１２の板バネ部２２で確実に閉塞されているので、通気孔２１からの空気流入で異常燃焼が発生すると言うことがなく、常に安心して使用することが出来るものである。
【００２２】
従って、点火部分が火皿部５より下方の芯案内筒１内であるので、燃焼筒９に誤って放電して点火不良を招く心配がなく、又常に強力な燃焼火炎中に放電電極１９及び対極板１２が晒されることがなく、長期間の使用でも焼損したり放電不良を引き起こすことがなく、常に確実で良好な点火を得ることが出来るものである。
【００２３】
更に対極板１２は芯止バンド１１に固定されているので、固定が強固であり燃芯４に付いての移動が確実に行われ位置ずれすることなく、放電間隔を確実に保持することが出来るものである。
【００２４】
【発明の効果】
以上のようにこの発明によれば、燃焼筒への誤放電による点火不良や、放電電極及び対極板が強力な燃焼火炎に晒されることがなく、焼損や放電不良を招くことがなく、長期間に渡って確実で良好な放電点火が行われるものであり、更に確実な消火と共に、消火時間の短縮が計られ、常に安心して使用することが出来るものである。
又対極板で燃焼時は通気孔を閉塞するので、閉塞用の特別な部品が不用で部品点数が少なく安価で済むと言う効果を有するものである。
【００２５】
更に対極板の中央にバネ性を与えて形成した板バネ部により、燃芯の火力調節範囲でそのバネ性を利用して芯案内外筒内面に密着して上下動して、通気孔を閉塞することにより、空気の流入を阻止すると共に、燃芯の最下降の消火位置では通気孔を開放状態として、冷却空気を凹部に流入させて残火を吹き消すことができるものである。
【図面の簡単な説明】
【図１】この発明一実施例を付した石油燃焼器具の燃焼時を示す要部断面図。
【図２】同消火時を示す要部断面図。
【図３】同要部の水平断面図。
【図４】同要部の正面図。
【図５】同燃芯の斜視図。
【図６】同対極板の正面図。
【図７】同対極板の側面図。
【符号の説明】
１  芯案内筒
２  芯案内内筒
３  芯案内外筒
４  燃芯
５  火皿部
９  燃焼筒
１０  凹部
１２  対極板
１６  窓部
１９  放電電極
２１  通気孔
２２  板バネ部
【図１】
0003872635.tif 000002
【図２】
0003872635.tif 000003
【図３】
0003872635.tif 000004
【図４】
0003872635.tif 000005
【図５】
0003872635.tif 000006
【図６】
0003872635.tif 000007
【図７】
0003872635.tif 000008